(57)【要約】【課題】切粉が思わぬ方向から飛ぶ危険性を少なくし、かつ、切粉が四方に散乱し難くすること。【解決手段】透明な矩形状のプレート本体１０と、プレート本体１０に設けられると共に、エアーガン２の噴射ノズル２０が挿通されて固定される取付け孔１０１と、プレート本体１０の一辺１０ａ側の両端部を引っ張ってプレート本体１０の一辺１０ａを円弧状に曲げて保持する保持部材１１と、を備え、エアーガン２の噴射ノズル２０の先端が、曲げられたプレート本体１０の内側に配置される。【選択図】図２
2018039094.tif 000002
【特許請求の範囲】
【請求項１】
エアーガンに取り付けられるダストカバーであって、
透明な矩形状のプレート本体と、
前記プレート本体に設けられると共に、前記エアーガンの噴射ノズルが挿通されて固定される取付け孔と、
前記プレート本体の一辺側の両端部を引っ張って前記プレート本体の一辺を円弧状に曲げて保持する保持部材と、を備え、
前記エアーガンの噴射ノズルの先端が、曲げられた前記プレート本体の内側に配置される
ことを特徴とするエアーガン用ダストカバー。
【請求項２】
前記保持部材は、前記プレート本体の一辺側の両端部の間の距離を調整可能に構成される
ことを特徴とする請求項１に記載のエアーガン用ダストカバー。
【請求項３】
前記プレート本体は、一辺側の両側に一対の孔部を備え、
保持部材は、長尺部材と、前記長尺部材の両端側に固定される一対の係止部と、を備え、前記長尺部材が前記孔部に挿通されると共に、前記係止部が前記孔部に係止されることで、前記プレート本体の一辺が円弧状に曲げて保持される
ことを特徴とする請求項２に記載のエアーガン用ダストカバー。
【請求項４】
請求項１〜３のいずれかに記載のエアーガン用ダストカバーを備える
ことを特徴とするエアーガン。
【発明の詳細な説明】
【技術分野】
【０００１】
本発明は、穴加工されたドリル穴に残った切粉等を除去するエアーガンに取り付けられるダストカバー及びそれを備えたエアーガンに関する。
【背景技術】
【０００２】
鉄材や木材等の被加工物にドリルで穴を加工すると、このドリル穴に切粉や切削油等が残るので、ドリル穴に残った切粉等を取り除くために、エアーガンでドリル穴に高圧なエアーを噴射して、ドリル穴から切粉等をエアーの噴射で取り除く。
【０００３】
ところが、エアーガンでドリル穴から切粉等を除去すると、切粉等が散乱して、オペレータの顔面等を傷つけるおそれがある。そこで、特許文献１に示すダストカバーが、エアーガンに取り付けられる。従来のダストカバーは、円形な傘状に構成されている。そして、特許文献１の図５の通り、被加工物１５にダストカバー８を密着して、ドリル穴１６に向けてエアーガンのノズル４からエアーを噴射して、ドリル穴１６から切粉を取り除く。
【０００４】
ところが、被加工物の形状によっては、被加工物１５からダストカバー８を離してエアーを噴射することがあり、その場合、ダストカバーが円形であることから、切粉がダストカバーから様々な方向に飛ぶことがある。そのため、切粉が思わぬ方向からオペレータに当たる危険性がある。また、切粉が四方に散乱して掃除し難い問題もある。
【先行技術文献】
【特許文献】
【０００５】
【特許文献１】実開平６−８５７０９号公報
【発明の概要】
【発明が解決しようとする課題】
【０００６】
そこで、本発明が解決しようとする課題は、上記の問題に鑑みて、切粉が思わぬ方向から飛ぶ危険性を少なくし、かつ、切粉が四方に散乱し難くするエアーガン用ダストカバー及びそれを備えたエアーガンを提供することにある。
【課題を解決するための手段】
【０００７】
上記の課題を解決するために、本発明に係るエアーガン用ダストカバーは、
エアーガンに取り付けられるダストカバーであって、
透明な矩形状のプレート本体と、
プレート本体に設けられると共に、エアーガンの噴射ノズルが挿通されて固定される取付け孔と、
プレート本体の一辺側の両端部を引っ張ってプレート本体の一辺を円弧状に曲げて保持する保持部材と、を備え、
エアーガンの噴射ノズルの先端が、曲げられたプレート本体の内側に配置される。
【０００８】
好ましくは、
保持部材は、プレート本体の一辺側の両端部の間の距離を調整可能に構成される。
【０００９】
好ましくは、
プレート本体は、一辺側の両側に一対の孔部を備え、
保持部材は、長尺部材と、長尺部材の両端側に固定される一対の係止部と、を備え、長尺部材が孔部に挿通されると共に、係止部が孔部に係止されることで、プレート本体の一辺が円弧状に曲げて保持される。
【００１０】
また、本発明に係るエアーガンは、
上記のいずれかに記載のエアーガン用ダストカバーを備える。
【発明の効果】
【００１１】
本発明に係るエアーガン用ダストカバー及びそれを備えたエアーガンは、切粉が思わぬ方向から飛ぶ危険性を少なくでき、かつ、切粉が散乱し難いようにできる。
【図面の簡単な説明】
【００１２】
【図１】ダストカバーを説明するための図。
【図２】ダストカバーが取り付けられたエアーガンを示す斜視図。
【発明を実施するための形態】
【００１３】
以下、図面に基づいて、本発明に係るエアーガン用ダストカバー及びそれを備えたエアーガンの一実施形態を説明する。
【００１４】
図１の通り、ダストカバー１は、透明なプレート本体１０を備える。プレート本体１０は、例えば、透明性及び耐衝撃性が高いアクリル樹脂からなる。プレート本体１０は、折り曲げ可能な柔軟性を有する。プレート本体１０は、矩形状からなる。なお、矩形状とは、角部がアール形状であるものの含む。プレート本体１０は、その一辺１０ａ側の両端部に設けられた一対の孔部１００を備える。さらに、プレート本体１０は、その中央部に設けられた取付け孔１０１を備える。
【００１５】
ダストカバー１は、保持部材１１を備える。保持部材１１は、例えば、合成樹脂からなる。保持部材１１は、プレート本体１０の孔部１００に挿通可能な長尺部材１１０と、長尺部材１１０の一端に設けられた第１係止部１１１と、長尺部材１１０の他端に着脱可能な第２係止部１１２と、を備える。
【００１６】
所定長さの長尺部材１１０をプレート本体１０の孔部１００に挿通して、第１係止部１１１でプレート本体１０の孔部１００に長尺部材１１０を係止する。そして、プレート本体１０の一辺１０ａを円弧状に曲げて、第２係止部１１２を長尺部材１１０に取り付けて、第２係止部１１２でプレート本体１０の孔部１００に長尺部材１１０を係止する。これによって、保持部材１１が、プレート本体１０の一辺１０ａ側の両端部を引っ張ってプレート本体１０の一辺１０ａを円弧状に曲げて保持する。
【００１７】
長尺部材１１０に対して第２係止部１１２の位置を調整することで、保持部材１１は、プレート本体１０の一辺１０ａ側の両端部の間の距離を調整できる。
【００１８】
図２の通り、エアーガン２は、長尺な噴射ノズル２０を備える。エアーガン２は、空気を圧縮するコンプレッサー（不図示）に接続され、噴射ノズル２０の先端から高圧なエアーを噴射する。エアーガン２で鉄材や木材等のドリル穴（不図示）に高圧なエアーを噴射して、リル穴に残った切粉等をドリル穴から取り除く。
【００１９】
ダストカバー１は、エアーガン２の噴射ノズル２０がプレート本体１０の取付け孔１０１に挿通及び固定されて、エアーガン２に取り付けられる。なお、エアーガン２は、接着、面摩擦、食い込み等でプレート本体１０に固定される。そして、エアーガン２の噴射ノズル２０の先端が、曲げられたプレート本体１０の内側（窪み内）に配置される。
【００２０】
エアーガン２は、オペレータが把持するための持ち手２１を備える。ダストカバー１のプレート本体１０の一辺１０ａは、エアーガン２の持ち手２１と対向して配置される。通常の使用では、ダストカバー１のプレート本体１０の一辺１０ａは上方に、他片１０ｂ（一辺１０ａと対向する辺）は下方に配置される。
【００２１】
プレート本体１０は、一辺１０ａが円弧状に曲げられることで、他片１０ｂも円弧状に曲げられる。ただし、プレート本体１０の一辺１０ａは保持部材１１で保持され、プレート本体１０の他辺１０ｂは保持部材１１で保持されないので、一辺１０ａの曲率は、他辺１０ｂの曲率より大きくなる。
【００２２】
そのため、プレート本体１０は、下方に広がった形状とすることができるので、ドリル穴から取り除かれる切粉を効率よく確実に捕捉できる。また、プレート本体１０の一辺１０ａ及び他辺１０ｂが円弧状に曲がっているので、通常の使用において、切粉をプレート本体１０の中央側に集めて、下方に落とすことができる。その結果、ダストカバー１は、切粉が思わぬ方向から飛ぶ危険性を少なくし、切粉を四方に散乱し難くできる。
【００２３】
以上、本発明の好ましい実施形態を説明したが、本発明の構成はこれらの実施形態に限定されるものではない。
【符号の説明】
【００２４】
１  ダストカバー
１０  プレート本体
１０ａ  プレート本体の一辺
１００  孔部
１０１  取付け孔
１１  保持部材
１１０  長尺部材
１１１，１１２  係止部
２  エアーガン
２０  噴射ノズル
２１  持ち手
【図１】
2018039094.tif 000003
【図２】
2018039094.tif 000004
【手続補正書】
【提出日】平成29年10月13日(2017.10.13)
【手続補正１】
【補正対象書類名】特許請求の範囲
【補正対象項目名】全文
【補正方法】変更
【補正の内容】
【特許請求の範囲】
【請求項１】
エアーガンに取り付けられるダストカバーであって、
透明な矩形状のプレート本体と、
前記プレート本体に設けられると共に、前記エアーガンの噴射ノズルが挿通されて固定される取付け孔と、
前記プレート本体の一辺側の両端部を引っ張って前記プレート本体の一辺を円弧状に曲げて保持する保持部材と、を備え、
前記エアーガンの噴射ノズルの先端が、曲げられた前記プレート本体の内側に配置され、
前記保持部材は、前記プレート本体の一辺側の両端部の間の距離を調整可能に構成される
ことを特徴とするエアーガン用ダストカバー。
【請求項２】
前記プレート本体は、一辺側の両側に一対の孔部を備え、
前記保持部材は、長尺部材と、前記長尺部材の両端側に固定される一対の係止部と、を備え、前記長尺部材が前記孔部に挿通されると共に、前記係止部が前記孔部に係止されることで、前記プレート本体の一辺が円弧状に曲げて保持される
ことを特徴とする請求項１に記載のエアーガン用ダストカバー。
【請求項３】
請求項１又は２のいずれかに記載のエアーガン用ダストカバーを備える
ことを特徴とするエアーガン。
【手続補正２】
【補正対象書類名】明細書
【補正対象項目名】０００７
【補正方法】変更
【補正の内容】
【０００７】
上記の課題を解決するために、本発明に係るエアーガン用ダストカバーは、
エアーガンに取り付けられるダストカバーであって、
透明な矩形状のプレート本体と、
プレート本体に設けられると共に、エアーガンの噴射ノズルが挿通されて固定される取付け孔と、
プレート本体の一辺側の両端部を引っ張ってプレート本体の一辺を円弧状に曲げて保持する保持部材と、を備え、
エアーガンの噴射ノズルの先端が、曲げられたプレート本体の内側に配置され、
保持部材は、プレート本体の一辺側の両端部の間の距離を調整可能に構成される。
【手続補正３】
【補正対象書類名】明細書
【補正対象項目名】０００８
【補正方法】削除
【補正の内容】